(57)【要約】【課題】押圧体凹部について成形の手間をなくすとともに、確実に機械的弱点部を破断することを課題とする。【解決手段】押圧用キャップ１０を所定方向に回転させる。すると、ねじ機能と、供回り防止機能によって収納筒２０が押圧用キャップ１０上面に向かって上っていき、やがて押圧用キャップ１０の突起１１と収納筒２０の押圧棒２５が接触する。頭部上面２５ａの傾斜により、収納筒２０の内壁のうち近接した側に傾くとともに、頭部上面２５ａと押圧用キャップ１０の突起１１とは面で接触する。また、突起１１と収納筒２０との隙間が押圧棒２５の直径より小さいため、押圧棒２５が突起１１底面から外れることはない。押圧棒２５の頭部上面２５ａと押圧用キャップ１０の突起１１とは面で接触しているため、圧力を効率的に伝えることができる。【選択図】図２
2011235904.tif 000002
【特許請求の範囲】
【請求項１】
容器本体に飲料水を詰め、前記容器本体口部に螺着されるキャップ体を備え、前記キャップ体には上面開口の略円筒形状である収納筒を備え、当該収納筒下面の機械的弱点部を、当該下面と一体で略円筒形状である押圧棒から伝わる圧力により破断し、前記収納筒内の飲料の素を前記飲料水に添加させるようにした飲料容器であって、
前記キャップ体は、
前記収納筒、当該収納筒に螺着する押圧用キャップ、および、前記容器本体口部に螺着する蓋体キャップで構成され、
前記押圧用キャップは、
下面開口の略円筒形状であり、当該上面より下方に、前記収納筒の内壁全周との間に前記押圧棒直径より小さい隙間ができる略円筒形状でその下面にて前記押圧棒を加圧する突起を有し、
前記収納筒は、
外壁にガイド溝を有し、内壁に近接した位置に前記押圧棒を有し、当該押圧棒の頭部上面には、前記突起からの加圧が進むにつれ、前記押圧棒が前記近接した内壁側に傾き、最後に当該加圧を全面で受けるような傾斜が設けられ、
前記蓋体キャップは、
上下面ともに開口の略円筒形状であり、前記ガイド溝に嵌合して前記押圧用キャップと前記収納筒の供回りを防止するガイド突起、および、前記収納筒断面と同じ投影の開口部を有する鍔部を内壁に備えたことを特徴とする飲料容器。
【発明の詳細な説明】
【技術分野】
【０００１】
本発明は、容器本体、および、飲料の素を収納したキャップ体からなる飲料容器に関するものである。
【背景技術】
【０００２】
従来、お茶の風味を保つため、お茶そのものを飲料容器に詰めるのではなく、容器本体には水を詰め、キャップに茶粉末を収納し、飲用時に当該茶粉末を添加することで淹れたてのお茶の風味を味わうことができるようにした飲料容器が提案されている。
【０００３】
例えば、特許文献１には、容器本体と、容器本体の口部に螺着するキャップと、茶粉末を収納した収納筒と、収納筒の底面の機械的弱点部を破断する押圧体と、押圧体を押し下げる押圧用キャップとで構成される飲料容器が開示されている。
【０００４】
このような飲料容器は、具体的には、押圧用キャップを所定方向に回して押圧体を押し下げることにより、収納筒の底面から伸びた押圧棒を押圧する。押圧棒は収納筒の底面と一体であるから、押圧棒の押圧で底面の機械的弱点部が破断し、茶粉末が容器本体内部に落下する。
【先行技術文献】
【特許文献】
【０００５】
【特許文献１】特開２００６−１０３７８１号公報
【発明の概要】
【発明が解決しようとする課題】
【０００６】
しかしながら、上述の飲料容器は、押圧棒が押圧体底面から外れることがないよう、当該底面を凹状にしており、成形に手間がかかるという問題があった。また、上述の飲料容器では、押圧棒を収納筒の底面中心ではなく、内壁近傍に位置させ、押し圧が掛かった際、押圧棒がその内壁側に傾くよう期待されている。しかしながら、必ずその方向に傾くということはなく、場合によっては逆方向に傾き、その結果、機械的弱点部が破断しないという問題もあった。
【０００７】
本発明は、上述した従来技術の課題を解決するためになされたものであり、押圧体凹部について成形の手間をなくすとともに、確実に機械的弱点部を破断することが可能な飲料容器を提供することを目的とする。
【課題を解決するための手段】
【０００８】
上記の課題を解決するため、本願発明は、容器本体に飲料水を詰め、前記容器本体口部に螺着されるキャップ体を備え、前記キャップ体には上面開口の略円筒形状である収納筒を備え、当該収納筒下面の機械的弱点部を、当該下面と一体で略円筒形状である押圧棒から伝わる圧力により破断し、前記収納筒内の飲料の素を前記飲料水に添加させるようにした飲料容器であって、前記キャップ体は、前記収納筒、当該収納筒に螺着する押圧用キャップ、および、前記容器本体口部に螺着する蓋体キャップで構成され、前記押圧用キャップは、下面開口の略円筒形状であり、当該上面より下方に、前記収納筒の内壁全周との間に前記押圧棒直径より小さい隙間ができる略円筒形状でその下面にて前記押圧棒を加圧する突起を有し、前記収納筒は、外壁にガイド溝を有し、内壁に近接した位置に前記押圧棒を有し、当該押圧棒の頭部上面には、前記突起からの加圧が進むにつれ、前記押圧棒が前記近接した内壁側に傾き、最後に当該加圧を全面で受けるような傾斜が設けられ、前記蓋体キャップは、上下面ともに開口の略円筒形状であり、前記ガイド溝に嵌合して前記押圧用キャップと前記収納筒の供回りを防止するガイド突起、および、前記収納筒断面と同じ投影の開口部を有する鍔部を内壁に備えたことを特徴とする。
【発明の効果】
【０００９】
本発明のペットボトルによれば、押圧体凹部について成形の手間をなくすとともに、確実に機械的弱点部を破断することが可能となる。
【図面の簡単な説明】
【００１０】
【図１】図１は、実施例１に係るペットボトルの概要を説明するための図であり、（ａ）はペットボトルの概観、（ｂ）は断面図、（ｃ）は収納筒のねじ山の拡大図を示すものである。
【図２】図２は、実施例１に係るペットボトルの概要を説明するための図であり、（ａ）は押圧棒と突起との接触の様子、（ｂ）は機械的弱点部破断前の断面図、（ｃ）は機械的弱点部破断後の断面図を示すものである。
【図３】図３は、押圧用キャップを説明するための図であり、（ａ）は平面図、（ｂ）は断面図、（ｃ）は正面図を示すものである。
【図４】図４は、収納筒を説明するための図であり、（ａ）は平面図、（ｂ）は断面図、（ｃ）は正面図を示すものである。
【図５】図５は、収納筒に茶粉末を詰めた状態を示す図である。
【図６】図６は、蓋体キャップを説明するための図であり、（ａ）は平面図、（ｂ）は断面図、（ｃ）は正面図を示すものである。
【発明を実施するための形態】
【実施例１】
【００１１】
以下に添付図面を参照して、本発明に係る飲料容器の実施形態について説明する。
【００１２】
まず、図１および図２を用いて実施例１に係るペットボトルの概要を説明する。図１および図２は、実施例１に係るペットボトルの概要を説明するための図である。
【００１３】
図１に示すように、ペットボトル１は、キャップ体１００および容器本体２００からなり、さらに、キャップ体１００は、押圧用キャップ１０と、収納筒２０と、蓋体キャップ３０とからなる。容器本体２００には飲料水２０１が詰められる。収納筒２０は、上面開口の略円筒形状であり茶粉末２１が収納される。
【００１４】
押圧用キャップ１０と収納筒２０は螺着され、所定方向の回転により締まったり緩んだりする。具体的には、押圧用キャップ１０が雌ねじ、収納筒２０が雄ねじとなる。また、収納筒２０のねじ山には、拡大図に示すように、長手方向にガイド溝２２ａが設けられ、当該ガイド溝２２ａには蓋体キャップ３０の内壁に設けられたガイド突起（図示せず）が嵌まり込む。蓋体キャップ３０は、容器本体２００と螺着して固定されているため、押圧用キャップ１０の回転により収納筒２０が供回りしようとしても、ガイド溝２２ａがガイド突起に当たる。これにより収納筒２０は供回りしない。また、収納筒２０は、蓋体キャップ３０の鍔部３６の全周で挟まれており、収納筒２０の回転にともなって摩擦力が生ずる。この摩擦力によっても収納筒２０は供回りしない。
【００１５】
ペットボトル１の飲用時には、まず押圧用キャップ１０を所定方向に回転させる。すると、ねじ機能と、供回り防止機能によって収納筒２０が押圧用キャップ１０上面に向かって上っていき、やがて押圧用キャップ１０の突起１１と収納筒２０の押圧棒２５が接触する。突起１１と押圧棒２５の接触について、図２を用いて具体的に説明すると、図２の（ａ）に示すように、押圧棒２５は、まず突起１１の下面１１ａに対し、頭部上面２５ａにおける点で接触する。これは、押圧棒２５の頭部上面２５ａに、近接の内壁側が高くなるような傾斜が設けられているためである。したがって、押圧棒２５は、初めは、突起１１の下面１１ａとは、頭部上面２５ａのうち近接した内壁側の点で接触する。
【００１６】
引き続き押圧用キャップ１０を所定方向に回転させると、押圧棒２５は、上記の頭部上面２５ａの傾斜や、収納筒２０の内壁に近接して設けられていることにより、収納筒２０内壁側に傾くとともに、収納筒２０内壁に接触する。さらに回転させると、押圧棒２５は、さらに収納筒２０内壁側へ傾き、最後は、突起１１の下面１１ａとは、頭部上面２５ａの面で接触する。なお、このとき、突起１１と収納筒２０との隙間が押圧棒２５の直径より小さいため、押圧棒２５が突起１１底面から外れることはない。
【００１７】
そして、収納筒２０底面の機械的弱点部を破断するべく、さらに押圧用キャップ１０を回転させると、収納筒２０の押圧棒２５や底面に圧力が掛かり始める。このとき、押圧棒２５の頭部上面２５ａと押圧用キャップ１０の突起１１とは面で接触しているため、圧力を効率的に伝えることができる。そして、機械的弱点部は、その圧力に耐えられなくなったタイミングで破断する。また、収納筒２０の上面には、アルミフィルムなどからなるシート状のシール部材２６が貼着または溶着されており、突起１１の圧力によって、初期の状態から機械的弱点部が破断するまでの間のあるタイミングで破断する。なお、ここまでに働いている供回り防止機能は、ガイド溝２２ａとガイド突起によるものと、鍔部３６と収納筒２０の摩擦力によるものである。つまり、摩擦力の供回り防止機能だけでは機械的弱点部やシール部材２６の破断に至らない場合があるため、ガイド溝２２ａとガイド突起との嵌合で得られる供回り防止で補助を行っている。
【００１８】
機械的弱点部の破断後、さらに押圧用キャップ１０を回転させると、同様に、ねじ機能と、供回り防止機能によって収納筒２０が、押圧用キャップ１０上面に向かってさらに上っていく。なお、途中、ガイド溝２２ａがガイド突起からはずれるので、それ以降は、摩擦力による供回り防止機能のみが働く。
【００１９】
収納筒２０底面の開口が進むにつれ、図２の（ｃ）に示すように、収納筒２０内部の茶粉末２１が容器本体２００に落下し、飲料水２０１に添加される。添加後、ペットボトル１を振って茶粉末２１と飲料水２０１を混ぜ合わせることにより、淹れたてのお茶を作ることができる。
【００２０】
従来、押圧用キャップ１０の突起底面から外れることがないよう、当該底面に凹部を形成する必要があった。しかし、本発明では、押圧用キャップ１０の突起１１と収納筒２０内壁との隙間が押圧棒２５の直径より小さいため、押圧棒２５が突起１１底面から外れることはなく、わざわざ底面に凹部を形成する必要はない。
【００２１】
また、頭部上面２５ａに傾斜を持たせることにより、押圧棒２５は確実に収納筒２０の内壁のうち近接した側の内壁に傾く。また、頭部上面２５ａと突起１１とが面で接触しているため、効率よく圧力を伝えることができ、確実に収納筒２０下面の機械的弱点部を破断することができる。
【００２２】
また、従来、キャップ体１００に相当するものは、容器本体の口部に螺着するキャップ、茶粉末を収納した収納筒、収納筒の底面の機械的弱点部を破断する押圧体、押圧体を押し下げる押圧用キャップの４部品で構成されていた。しかし、本発明では、押圧用キャップ１０と収納筒２０を螺着し、互いにぶつかり合うようにすることで、押圧体と押圧用キャップ１０の一体化を可能とし、部品数を軽減した。すなわち、部品数を減らすことで製造コストを抑えることができる。
【００２３】
以上のことから、本発明では、従来の押圧体凹部について成形の手間をなくすとともに、確実に機械的弱点部を破断することが可能となる。
【００２４】
次に、図３〜図６を用いて、キャップ体１００の各構成部を具体的に説明する。まず、図３を用いて押圧用キャップ１０について説明する。図３は、押圧用キャップを説明するための図である。
【００２５】
図３に示すように、押圧用キャップ１０は、ポリプロピレン樹脂（ＰＰ）などの合成樹脂からなり、下面開口の略円筒形状をしている。上面の中心部には下方へ突起する突起体１１、内壁には雌ねじ１２、側周内面には係止用突起１３が設けられる。
【００２６】
突起体１１は、図３の（ｂ）に示すように、下面開口で中身をくりぬいた略円筒形状をしている。これは、円筒形状のままだと、成形時に気泡が入り込むため、中身をくりぬいて厚みをなくし、気泡の混入を防止している。
【００２７】
係止用突起１３は、押圧用キャップ１０を蓋体キャップ３０に被冠した場合に、蓋体キャップ３０の突起部３１に係止される。これにより、押圧用キャップ１０の上方への外れが防止されるとともに側周面方向へは回転可能となる。なお、押圧用キャップ１０の側周外面にはローレット等のすべり止め加工がされている。
【００２８】
次に、図４および図５を用いて収納筒２０について説明する。図４は、収納筒を説明するための図であり、図５は、収納筒に茶粉末を詰めた状態を示す図である。図４に示すように、収納筒２０は、ポリプロピレン樹脂（ＰＰ）などの合成樹脂からなり、上面開口の略円筒形状をしている。
【００２９】
側周外面には、押圧用キャップ１０の雌ねじ１２と組み合わさる雄ねじ２２が設けられ、さらに、雄ねじ２２には、ガイド溝２２ａが設けられる。底面２３には略全周に形成された薄肉部、切溝部などからなる機械的弱点部２４が設けられており、底面２３には上方に突出した押圧棒２５が設けられている。
【００３０】
押圧棒２５の頭部上面２５ａは、点線円内拡大図（ｄ）に示すように、収納筒２０の内壁に近接した側の方が高くなるように傾斜が設けられている。傾斜角度θは、５度程度が望ましい。こうすることにより、押圧用キャップ１０の突起１１の下面１１ａより圧力が掛かった際、押圧棒２５は確実に収納筒２０の内壁のうち近接した側の内壁に傾く。
【００３１】
底面２３は、テーパー形状をなし、押圧用キャップ１０の突起体１１による押し圧が機械的弱点部２４に効率よく伝達されるようになっている。押圧棒２５は、略円筒形状から一部をくりぬいた形状をなす。このように厚みを均一にすることにより、押圧用キャップ１０の突起体１１と同様、成形時に気泡が入り込むのを防止している。
【００３２】
また、図５に示すように、収納筒２０には、茶粉末２１を詰めるが、その際、上面にアルミフィルムなどからなるシート状のシール部材２６を貼着または溶着させて完全に密封して収納する。これにより、お茶の風味が長期にわたって保たれるので、飲用時に淹れたての美味しいお茶を味わうことができる。
【００３３】
次に、図６を用いて蓋体キャップ３０について説明する。図６は、蓋体キャップを説明するための図である。図６に示すように、蓋体キャップ３０は、ポリプロピレン樹脂（ＰＰ）などの合成樹脂からなり、上面、下面ともに開口した略円筒形状をしている。
【００３４】
側周外面には、押圧用キャップ１０の係止突起１３を係止する突起部３１が設けられる。また、側周内面には、収納筒２０の雌ねじ１２のガイド溝２２ａを嵌め込むためのガイド突起３２、雌ねじ３３、鍔部３６が設けられている。雌ねじ３３は、容器本体２００口部の雄ねじと組み合わさる。鍔部３６は、収納筒２０の断面と同形の穴を有し、当該穴に収納筒２０が隙間なく密着する。
【００３５】
また、蓋体キャップ３０は、不正開放防止部３４を有し、不正開放防止部３４と機械的弱点部３５で接合される。不正開放防止部３４について説明すると、茶粉末２１を落下させ飲料水２０１と混合後、蓋体キャップ３０を所定方向に回転させ、機械的弱点部３５を破断する。飲用時、蓋体キャップ３０については押圧用キャップ１０や収納筒２０と一体となって容器本体２００から取り外され、不正開放防止部３４については切断されて容器本体２００口部に残るようになっている。これにより、一度蓋体キャップ３０を容器本体２００口部から取り外した場合、開放したことが容易にわかるようになっている。
【００３６】
以上述べてきたように、本発明では、押圧用キャップ１０の突起１１と収納筒２０内壁との隙間が押圧棒２５の直径より小さいため、押圧棒２５が突起１１底面から外れることはなく、わざわざ底面に凹部を形成する必要はない。
【００３７】
また、頭部上面２５ａに傾斜を持たせることにより、押圧棒２５は確実に収納筒２０の内壁のうち近接した側の内壁に傾く。また、頭部上面２５ａと突起１１とが面で接触しているため、効率よく押し圧をかけることができ、確実に収納筒２０下面の機械的弱点部を破断することができる。
【００３８】
また、押圧用キャップ１０と収納筒２０を螺着し、互いにぶつかり合うようにすることで、押圧体と押圧用キャップ１０の一体化を可能とし、部品数を軽減した。すなわち、部品数を減らすことで製造コストを抑えることができる。
【産業上の利用可能性】
【００３９】
本発明に係る飲料容器は、容器本体、および、飲料の素を収納したキャップ体からなる飲料容器に関するもので、特に押圧体凹部について成形の手間をなくすとともに、確実に機械的弱点部を破断する場合に有用である。
【符号の説明】
【００４０】
１            ペットボトル
１０          押圧用キャップ
１１          突起
１１ａ        下面
１２          雌ねじ
１３          係止用突起
２０          収納筒
２１          茶粉末
２２          雄ねじ
２２ａ        ガイド溝
２３          底面
２４          機械的弱点部
２５          押圧棒
２５ａ        頭部上面
２６          シール部材
３０          蓋体キャップ
３１          突起部
３２          ガイド突起
３３          雌ねじ
３４          不正開放防止部
３５          機械的弱点部
３６          鍔部
【図２】
2011235904.tif 000003
【図３】
2011235904.tif 000004
【図４】
2011235904.tif 000005
【図５】
2011235904.tif 000006
【図６】
2011235904.tif 000007
【図１】
2011235904.tif 000008